(57)【要約】【課題】開閉部材のメンテナンスや清掃を容易に行うことができる便器装置を提供すること。【解決手段】上部に上部開口部１２２が形成され且つ下部に下部開口部１２３が形成された便鉢１２０と、下部開口部１２３を開閉する開閉部材２２０と、開閉部材２２０を回動可能に支持する支持部材２３０と、便鉢１２０の下方に配置される部分を有するチャンバ１１１と、チャンバ１１１の内部に連通する排出口１１３と、を有する便器本体１１０と、を備える便器装置１であって、便器本体１１０は、チャンバ１１１の内部に連通する掃除口１１２を更に有し、チャンバ１１１の内部において、開閉部材２０、若しくは開閉部材２２０及び支持部材２３０を、掃除口１１２を介して、便器本体１１０に対して着脱可能に構成される。【選択図】図１
2018123619.tif 000002
【特許請求の範囲】
【請求項１】
上部に上部開口部が形成され且つ下部に下部開口部が形成された便鉢と、
前記下部開口部を開閉する開閉部材と、
前記開閉部材を回動可能に支持する支持部材と、
前記便鉢の下方に配置される部分を有するチャンバと、前記チャンバの内部に連通する排出口と、を有する便器本体と、を備える便器装置であって、
前記便器本体は、前記チャンバの内部に連通する掃除口を更に有し、
前記チャンバの内部において、前記開閉部材、若しくは前記開閉部材及び前記支持部材を、前記掃除口を介して、前記便器本体に対して着脱可能に構成される便器装置。
【請求項２】
前記支持部材は、前記開閉部材の上下方向又は前後方向の位置を調整可能な位置調整機構を有する請求項１に記載の便器装置。
【請求項３】
前記掃除口は、前記便器本体の前側に配置される請求項１又は２に記載の便器装置。
【請求項４】
前記チャンバの内面は、前記掃除口から前記排出口に向かって下る下り傾斜面を有する請求項１から３のいずれかに記載の便器装置。
【請求項５】
前記開閉部材は、閉状態において、該開閉部材に水が充填されることで、前記便鉢の下端部内、及び該開閉部材と前記便鉢の下端部との間に、封水を形成するカップ構造で構成され、
前記カップ構造は、前記排出口とは反対側において上端が切り欠かれて形成される切り欠き部を有する請求項１から４のいずれかに記載の便器装置。
【請求項６】
前記開閉部材の自重により生じる開方向の回動モーメントよりも大きな閉方向の回動モーメントを生じさせる錘部と、
前記錘部の質量及び前記錘部の取り付け位置の一方又は両方を変更可能な回動モーメント調整部と、を備える請求項１から５のいずれかに記載の便器装置。
【請求項７】
前記開閉部材は、閉状態において、該開閉部材に水が充填されることで、前記便鉢の下端部内、及び該開閉部材と前記便鉢の下端部との間に、封水を形成するカップ構造で構成され、
前記開閉部材の閉状態において、前記便鉢から前記開閉部材に汚物が落下した場合に、前記便鉢の下端部内から封水が流出するのを抑制する流出抑制機構を備える請求項１から６のいずれかに記載の便器装置。
【発明の詳細な説明】
【技術分野】
【０００１】
本発明は、便器装置に関する。
【背景技術】
【０００２】
従来、上部に上部開口部が形成され且つ下部に下部開口部が形成された便鉢と、下部開口部を開閉する開閉カップ（開閉部材）と、便鉢の下方に配置される部分を有するチャンバを有する便器本体と、を備える便器装置が知られている（例えば、特許文献１参照）。
【先行技術文献】
【特許文献】
【０００３】
【特許文献１】特表２００６−５０７４３６号公報
【発明の概要】
【発明が解決しようとする課題】
【０００４】
特許文献１に記載の便器装置においては、下部開口部における開閉カップの開閉時に飛散した汚物が、開閉カップの裏側やチャンバ内に付着して、開閉カップの動作を阻害する可能性がある。開閉カップの裏側やチャンバ内に付着した汚物を清掃する場合には、便器本体や便器本体に接続された配管を取り外す必要がある。そのため、チャンバ及び開閉カップのメンテナンスや清掃を容易に行うことが難しかった。
【０００５】
本発明は、開閉部材のメンテナンスや清掃を容易に行うことができる便器装置を提供することを目的とする。
【課題を解決するための手段】
【０００６】
本発明は、上部に上部開口部（例えば、後述の上部開口部１２２）が形成され且つ下部に下部開口部（例えば、後述の下部開口部１２３）が形成された便鉢（例えば、後述の便鉢１２０）と、前記下部開口部を開閉する開閉部材（例えば、後述の開閉カップ２２０，２２０Ａ，２２０Ｂ）と、前記開閉部材を回動可能に支持する支持部材（例えば、後述の支持部材２３０）と、前記便鉢の下方に配置される部分を有するチャンバ（例えば、後述のチャンバ１１１）と、前記チャンバの内部に連通する排出口（例えば、後述の排出口１１３）と、を有する便器本体（例えば、後述の便器本体１１０）と、を備える便器装置（例えば、後述の便器装置１，１Ａ，１Ｂ，１Ｃ）であって、前記便器本体は、前記チャンバの内部に連通する掃除口（例えば、後述の掃除口１１２）を更に有し、前記チャンバの内部において、前記開閉部材、若しくは前記開閉部材及び前記支持部材を、前記掃除口を介して、前記便器本体に対して着脱可能に構成される便器装置に関する。
【０００７】
また、前記支持部材は、前記開閉部材の上下方向又は前後方向の位置を調整可能な位置調整機構を有することが好ましい。
【０００８】
また、前記掃除口は、前記便器本体の前側に配置されることが好ましい。
【０００９】
また、前記チャンバの内面は、前記掃除口から前記排出口に向かって下る下り傾斜面（例えば、後述の下り傾斜面１１１ａ）を有することが好ましい。
【００１０】
また、前記開閉部材は、閉状態において、該開閉部材に水が充填されることで、前記便鉢の下端部内、及び該開閉部材と前記便鉢の下端部との間に、封水を形成するカップ構造で構成され、前記カップ構造は、前記排出口とは反対側において上端が切り欠かれて形成される切り欠き部（例えば、後述の切り欠き部２２４ｃ）を有する。
【００１１】
また、前記開閉部材の自重により生じる開方向の回動モーメントよりも大きな閉方向の回動モーメントを生じさせる錘部（例えば、後述のカウンター錘２４０）と、前記錘部の質量及び前記錘部の取り付け位置の一方又は両方を変更可能な回動モーメント調整部（例えば、後述の位置調整バー２２５及びカウンター錘２４０）と、を備えることが好ましい。
【００１２】
また、前記開閉部材は、閉状態において、該開閉部材に水が充填されることで、前記便鉢の下端部内、及び該開閉部材と前記便鉢の下端部との間に、封水を形成するカップ構造で構成され、前記開閉部材の閉状態において、前記便鉢から前記開閉部材に汚物が落下した場合に、前記便鉢の下端部内から封水が流出するのを抑制する流出抑制機構（例えば、後述の狭小部Ｓ）を備えることが好ましい。
【発明の効果】
【００１３】
本発明によれば、開閉部材のメンテナンスや清掃を容易に行うことができる便器装置を提供できる。
【図面の簡単な説明】
【００１４】
【図１】第１実施形態に係る便器装置の構成を示す前後方向の縦断面図である。
【図２】第１実施形態に係る便器装置の便器本体を後方側から見た図である。
【図３】第１実施形態に係る便器装置が備える開閉カップユニットを示す模式図である。
【図４】第１実施形態に係る開閉カップユニットの支持部材が備える位置調整機構により開閉カップの前後方向の位置を調整した場合を示す図である。
【図５】第１実施形態の第１変形形態における開閉カップユニットの支持部材が備える位置調整機構により開閉カップの位置を調整した場合を示す図である。
【図６】第１実施形態の第２変形形態における開閉カップユニットを示す模式図である。
【図７】第２実施形態に係る便器装置の前後方向の縦断面図である。
【図８】第２実施形態に係る便器装置の開閉カップの構成を示す斜視図である。
【図９】第３実施形態におけるカウンター錘の位置を変更して回動モーメントを調整する場合を示す図である。
【図１０】第４実施形態における流出抑制機構としての狭小部を備える構成において、汚物が開閉カップに落下した場合の作用を説明する図である。
【図１１】第５実施形態における開閉カップを示す図であって、透明かつ目盛り付きの開閉カップの構成を示す図である。
【図１２】第６実施形態に係る便器装置において、掃除口キャップにホース接続口を設けた構成を示す図である。
【図１３】第７実施形態において、押し棒を用いて開閉カップを強制的に開状態に移動させる構成を示す図であって、（ａ）は開閉カップを押す前の状態を示す図であり、（ｂ）は開閉カップを押した後の状態を示す図である。
【図１４】第８実施形態において、引き棒を用いて開閉カップを強制的に開状態に移動させる構成を示す図であって、（ａ）は開閉カップを引く前の状態を示す図であり、（ｂ）は開閉カップを引いた後の状態を示す図である。
【図１５】第９実施形態における開閉カップのストッパ構造を示す図であって、（ａ）は、開閉カップにおける排出口側の上方側への移動を規制する第１ストッパを示す図であり、（ｂ）は、開閉カップに接続されるカウンター錘の下方側への移動を規制する第２ストッパを示す図である。
【図１６】第１０実施形態に係る和式の便器を備える便器装置の前後方向の縦断面図である。
【発明を実施するための形態】
【００１５】
以下、本発明の実施形態について、図面を参照して詳細に説明する。なお、第１実施形態の変形形態及び第２実施形態以降の説明において、第１実施形態と共通する構成については同一の符号を付し、対応する構成については同一の規則性に従って符号を付し、適宜その説明を省略する。また、以下の説明における前後方向及び左右方向は、便座に座った使用者から見た前後方向及び左右方向を意味する。
【００１６】
［第１実施形態］
図１は、第１実施形態に係る便器装置１の構成を示す前後方向の縦断面図である。図２は、第１実施形態に係る便器装置１の便器本体１１０を後方側から見た図である。なお、図２は、便器本体１１０を図示したものであり、その他の構成については、図示を省略している。
図１に示すように、本実施形態に係る便器装置１は、便器１００と、排水機構２００と、洗浄装置３００と、を備える簡易水洗式の便器装置である。
【００１７】
まず、便器１００について説明する。
本実施形態の便器装置１における便器１００は、使用者が必要に応じて腰掛けて使用する、いわゆる洋式便器である。図１に示すように、便器１００は、便器本体１１０と、便鉢１２０と、を備える。この便器１００は、例えば衛生陶器により形成される。
【００１８】
便器本体１１０は、図１及び図２に示すように、チャンバ１１１と、掃除口１１２と、排出口１１３と、を備える。便器本体１１０は、底部１１０ａと、前方壁部１１０ｂと、後方側壁部１１０ｃと、側方側壁部１１０ｄ（図２参照）と、を備える。チャンバ１１１は、便器本体１１０の内部において、便器本体１１０における、底部１１０ａ、前方壁部１１０ｂ、後方側壁部１１０ｃ及び側方側壁部１１０ｄに囲まれた部分により構成される。
【００１９】
掃除口１１２は、図１及び図２に示すように、チャンバ１１１の内部に連通する。掃除口１１２は、便器本体１１０の前側に配置され、前方に向けて開口する。掃除口１１２には、掃除口キャップ１１２ａが取り付けられる。掃除口キャップ１１２ａは、円板状の閉止板１１２ｂと筒状部１１２ｃとを備えて構成され、掃除口１１２に取り付けられることで、掃除口１１２を閉止する。
【００２０】
排出口１１３は、図１及び図２に示すように、チャンバ１１１の内部に連通する。排出口１１３は、便器本体１１０の後側に配置される。排出口１１３には、チャンバ１１１に落下してチャンバ１１１の下り傾斜面１１１ａ（後述）を流れた汚物及び使用後の溜水（汚水）が導かれる。排出口１１３は、排出口１１３に導かれた汚物及び使用後の溜水（汚水）を、便器装置１の外部に排出する。
【００２１】
チャンバ１１１は、図２に示すように、前後方向に見た場合の左右方向の断面形状が、上方側が開放するＵ字形状のＵバート構造により形成される。チャンバ１１１の底部の上面（内面）は、図１に示すように、掃除口１１２から排出口１１３に向かって下る下り傾斜面１１１ａを有する。
【００２２】
チャンバ１１１には、後述する開閉カップ２２０に一旦受け止められた汚物及び使用後の溜水（汚水）が、開閉カップ２２０が回動することで、落下される。チャンバ１１１に落下した汚物及び使用後の溜水（汚水）は、下り傾斜面１１１ａにより、排出口１１３側に速やかに流れて、排出口１１３を介して、便器装置１の外部に排出される。
【００２３】
チャンバ１１１の内部の上方には、後述する便鉢１２０が配置される。便鉢１２０の下部開口部１２３は、下り傾斜面１１１ａの上方に位置する。チャンバ１１１の内部において、便鉢１２０の下方には、後述する開閉カップユニット２１０の開閉カップ２２０が配置される。つまり、後述する開閉カップ２２０は、チャンバ１１１の内部の下り傾斜面１１１ａの上方に配置される。チャンバ１１１は、便鉢１２０の下方に配置される部分を有しており、チャンバ１１１には、便鉢１２０から排出されると共に開閉カップ２２０から落下される汚物及び溜水（汚水）が落下される。
【００２４】
便鉢１２０は、チャンバ１１１の内部の上方に配置される。便鉢１２０は、傾斜面部１２１と、上部に形成される上部開口部１２２と、下部に形成される下部開口部１２３と、を備える。傾斜面部１２１は、上部開口部１２２から下部開口部１２３に向かうに従って径が小さくなるように形成される。
【００２５】
下部開口部１２３は、便鉢１２０の下端部において、鉛直下方に略真円状に開口して形成され、上下方向に延びる。この下部開口部１２３の下方には、後述する開閉カップユニット２１０の開閉カップ２２０が配置される。汚物及び使用後の溜水（汚水）は、後述する洗浄装置３００から供給された洗浄水とともに、この下部開口部１２３から、下部開口部１２３の直下に配置される後述する開閉カップ２２０に排出される。
【００２６】
次に、排水機構２００について説明する。図３は、第１実施形態に係る便器装置１が備える開閉カップユニット２１０を示す模式図である。図４は、第１実施形態に係る開閉カップユニット２１０の支持部材２３０が備える位置調整機構により開閉カップ２２０の前後方向の位置を調整した場合を示す図である。
排水機構２００は、図１に示すように、開閉カップユニット２１０を備える。
【００２７】
開閉カップユニット２１０は、図３に示すように、開閉カップ２２０（開閉部材）と、支持部材２３０と、カウンター錘２４０（錘）とが、一まとまりで構成されて、ユニット化されている。開閉カップユニット２１０は、図１に示すように、ユニット化された状態で、掃除口１１２を介して、チャンバ１１１の内部において、便器本体１１０から着脱可能に構成される。つまり、開閉カップユニット２１０は、ユニット化された状態で、掃除口１１２を介して、チャンバ１１１の内部から便器装置１の外部に取り出したり、便器装置１の外部からチャンバ１１１の内部に組み入れたりすることが可能に構成される。
【００２８】
開閉カップ２２０は、後述する封水が形成された状態で、下部開口部１２３を開閉する。開閉カップ２２０は、図１に示すように、閉状態において、便鉢１２０の下部開口部１２３の直下に配置される。開閉カップ２２０は、便鉢１２０の下部開口部１２３から排出される汚物及び使用後の溜水（汚水）を受け止める。開閉カップ２２０は、支持部材２３０に回動可能に支持される。
【００２９】
開閉カップ２２０は、閉状態において、開閉カップ２２０に水が充填されることで、便鉢１２０の下端部内、及び開閉カップ２２０と便鉢１２０の下端部との間に、封水を形成するカップ構造で構成される。開閉カップ２２０のカップ構造は、開閉カップ２２０の閉状態において、上方が開口したカップ状に形成される。これにより、開閉カップ２２０の閉状態において、開閉カップ２２０と便鉢１２０の下端部との間は、封水により塞がれる。つまり、本実施形態においては、開閉カップ２２０は、便鉢１２０の下端部内、及び開閉カップ２２０と便鉢１２０の下端部との間に封水が形成された状態で閉状態となり、開閉カップ２２０及び封水により、便鉢１２０の下部開口部１２３を開閉する。この封水により、トイレ室に、チャンバ１１１からの臭気が逆流することが抑制され、トイレ室に、害虫等が侵入することが抑制される。
【００３０】
開閉カップ２２０は、図３に示すように、カップ本体２２１と、延出部２２２と、開閉カップ回動軸部２２３と、を有する。
【００３１】
カップ本体２２１は、底面部２２１ａと、円筒状部２２１ｂと、を有する。底面部２２１ａは、円板状に形成される。円筒状部２２１ｂは、底面部２２１ａの周縁から立ち上がるように形成される。円筒状部２２１ｂは、下方側から上方側に向かうに従って径が大きくなる円筒状に形成される。
【００３２】
延出部２２２は、カップ本体２２１の掃除口１１２側の上端部から掃除口１１２側に突出する。延出部２２２の先端には、開閉カップ回動軸部２２３及びカウンター錘２４０が取り付けられる。
【００３３】
開閉カップ回動軸部２２３は、開閉カップ２２０の延出部２２２の先端部に、便器装置１の幅方向（左右方向）に延びて設けられる。開閉カップ回動軸部２２３の幅方向の両端部には、後述するＬ字状部材２３２の他端部２３２ｂが固定されている。開閉カップ２２０は、開閉カップ回動軸部２２３が延びる方向に延びる回動軸Ｊ１を中心に回動する。これにより、開閉カップ２２０は、開閉カップ回動軸部２２３の回動軸Ｊ１を中心に回動することで、下部開口部１２３を開閉可能である。
【００３４】
支持部材２３０は、開閉カップ回動軸部２２３において、開閉カップ２２０を回動可能に支持する。支持部材２３０は、掃除口キャップ１１２ａ（図１参照）を介して、便器本体１１０に取り付けられている。支持部材２３０は、図３に示すように、リング状部材２３１と、一対のＬ字状部材２３２，２３２と、を有する。支持部材２３０におけるリング状部材２３１及び一対のＬ字状部材２３２，２３２は、開閉カップ２２０の上下方向の位置を調整可能な位置調整機構を構成する。
【００３５】
リング状部材２３１は、図３に示すように、環状に形成される。リング状部材２３１は、掃除口キャップ１１２ａに接続される。リング状部材２３１は、径方向の外方に突出する突起２３１ａを有する。
【００３６】
リング状部材２３１は、リング状部材２３１を掃除口キャップ１１２ａに取り付けた場合に、図１に示すように、掃除口キャップ１１２ａの筒状部１１２ｃの内周縁に沿って配置された状態で、リング状部材２３１の突起２３１ａが掃除口キャップ１１２ａに係止されて、掃除口キャップ１１２ａに接続される。これにより、リング状部材２３１は、掃除口キャップ１１２ａを介して、便器本体１１０に取り付けられる。また、リング状部材２３１は、リング状部材２３１の突起２３１ａが掃除口キャップ１１２ａに係止されることで、リング状部材２３１の周方向及びチャンバ１１１の前後方向に移動しないように位置決めされる。なお、本実施形態では、突起２３１ａが、掃除口キャップ１１２ａに係止されるように構成したが、これに限られない。突起２３１ａが、掃除口１１２に係止されるように構成してもよい。突起２３１ａが掃除口１１２に係止されることにより、リング状部材２３１は、掃除口１１２の周方向及びチャンバ１１１の前後方向に移動しないように位置決めされる。
【００３７】
一対のＬ字状部材２３２は、図３に示すように、それぞれ、一端部２３２ａがリング状部材２３１の円弧状部分に対して上下方向にスライド可能に連結されると共に、他端部２３２ｂが開閉カップ２２０の延出部２２２に配置される開閉カップ回動軸部２２３に連結される。
【００３８】
カウンター錘２４０は、開閉カップ２２０の延出部２２２の先端部に連結され、開閉カップ２２０の自重により生じる開方向の回動モーメントよりも大きな閉方向の回動モーメントを生じさせる。カウンター錘２４０は、例えば、鉄製の錘で構成される。カウンター錘２４０は、開閉カップ２２０の延出部２２２の先端部に配置される開閉カップ回動軸部２２３が延びる方向に延びる回動軸Ｊ１を中心に回動する。
【００３９】
以上のように構成される開閉カップユニット２１０においては、掃除口１１２を介して、開閉カップユニット２１０を、一体的に、便器本体１１０から着脱可能である。これにより、開閉カップユニット２１０の清掃及びメンテナンスが容易となる。
【００４０】
また、開閉カップユニット２１０の支持部材２３０は、開閉カップ２２０の上下方向及び前後方向の位置を調整する位置調整機構を備える。従来より、便器本体１１０は、衛生陶器として形成されるセラミック製であるため、便器本体１１０を構成する便鉢１２０やチャンバ１１１の寸法精度が出にくかった（寸法のバラツキが大きかった）。これにより、便鉢１２０の下端部と開閉カップ２２０の底部の上面との距離を所定の設定値に安定して設定できず、封水の深さを所定の設定値に設定しにくかった。これに対して、本発明では、便鉢１２０やチャンバ１１１の寸法バラツキが大きい場合であっても、開閉カップ２２０の上下方向及び前後方向の位置を調整することで、封水の深さを所定の設定値となるように調整できる。
【００４１】
例えば、図４の（ａ）の状態から、Ｌ字状部材２３２の一端部２３２ａをリング状部材２３１に沿って下方に移動させることで、図４の（ｂ）に示すように、開閉カップ２２０を上方及び前方に移動させることができる。また、例えば、図４の（ａ）の状態から、Ｌ字状部材２３２の一端部２３２ａをリング状部材２３１に沿って上方に移動させることで、図４の（ｃ）に示すように、開閉カップ２２０を下方及び後方に移動させることができる。
【００４２】
このようにして、Ｌ字状部材２３２の一端部２３２ａの位置をリング状部材２３１に沿って上下に移動させることで、便鉢１２０の下端部と開閉カップ２２０の底部の上面との位置を調整することができる。これにより、便鉢１２０やチャンバ１１１の寸法バラツキが大きい場合であっても、開閉カップ２２０の上下方向及び前後方向の位置を調整することで、封水の深さを所定の設定値となるように調整できる。
【００４３】
次に、洗浄装置３００について説明する。
洗浄装置３００は、図１に示すように、洗浄タンク３１０と、洗浄操作レバー（図示せず）と、を備える。
【００４４】
洗浄タンク３１０は、図１に示すように、便器本体１１０の後方上面に設置される。洗浄タンク３１０は、便鉢１２０内を洗浄するとともに、用便後の汚物を排出するための洗浄水を貯留する。
【００４５】
洗浄操作レバー（図示せず）は、洗浄タンク３１０の側面や上面等に配置される。洗浄操作レバーは、便器１００の前後方向に回動可能となっている。洗浄操作レバーを一方に回動させると、洗浄タンク３１０内の洗浄水が便鉢１２０内に供給される。本実施形態の洗浄装置３００は、例えば、１回の洗浄におよそ５００ｃｃ以下（ＪＩＳによる）の極少量の洗浄水を供給する。
【００４６】
以上の構成を備える図１に示す便器装置１は以下のように動作する。
まず、用便終了後における便鉢１２０の洗浄時において、使用者が洗浄操作レバー（図示せず）を回動すると、それに連動して、洗浄タンク３１０内の洗浄水が便鉢１２０内に供給される。
【００４７】
これにより、便鉢１２０内の汚物や溜水（汚水）や洗浄装置３００から供給される洗浄水の重量によって、カウンター錘２４０の重さに応じて、開閉カップ２２０に所定重さ以上の汚物及び汚水が溜まった場合に、開閉カップ２２０が開閉カップ回動軸部２２３の回動軸Ｊ１を中心に開方向に回動する。これによって、開閉カップ２２０内の汚物や溜水（汚水）は、チャンバ１１１に落下される。汚物及び汚水の落下後に、開閉カップ２２０は、閉状態となる。その後、便鉢１２０内に残留していた水が開閉カップ２２０内に流れ込み、開閉カップ２２０内に新たに封水を形成する。
【００４８】
そして、チャンバ１１１に落下した汚物や汚水は、Ｕバート構造のＵ字溝で構成されるチャンバ１１１の内部において、チャンバ１１１の下り傾斜面１１１ａを通り、排出口１１３へ向かって流れる。その後、汚物や汚水は、排出口１１３を介して便器装置１の外部に排出される。
【００４９】
以上の構成を備える本実施形態の便器装置１によれば、以下の効果が奏される。
（１）本実施形態では、上部に上部開口部１２２が形成され且つ下部に下部開口部１２３が形成された便鉢１２０と、下部開口部１２３を開閉する開閉カップ２２０と、開閉カップ２２０を回動可能に支持する支持部材２３０と、便鉢１２０の下方に配置される部分を有するチャンバ１１１と、チャンバ１１１の内部に連通する排出口１１３と、を有する便器本体１１０と、を備える便器装置１であって、便器本体１１０は、チャンバ１１１の内部に連通する掃除口１１２を更に有し、チャンバ１１１の内部において、開閉カップ２２０及び支持部材２３０を、掃除口１１２を介して、便器本体１１０に対して着脱可能に構成される。
これにより、便器本体１１０から、開閉カップ２２０及び支持部材２３０を、一体的に、掃除口１１２を介して、取り外したり取り付けたりすることができる。これにより、開閉カップユニット２１０の掃除やメンテナンスが容易となる。また、開閉カップユニット２１０を取り外すことで、チャンバ１１１の内部の清掃やメンテナンスが容易となる。
【００５０】
（２）また、本実施形態では、支持部材２３０は、開閉カップ２２０の上下方向の位置を調整可能な位置調整機構を有する。これにより、掃除口１１２を介して、支持部材２３０により、開閉カップ２２０の上下方向の位置を調整できる。従って、開閉カップ２２０を便器本体１１０から取り外さずに、掃除口１１２を介して、支持部材２３０により、開閉カップ２２０の上下方向の位置を調整できる。従来より、便器本体１１０は、衛生陶器として形成されるセラミック製であるため、便器本体１１０を構成する便鉢１２０やチャンバ１１１の寸法バラツキが大きく、製造時において、封水の深さが設定値に対してバラツキが大きかった。これに対して、本発明においては、便鉢１２０やチャンバ１１１の寸法バラツキが大きい場合であっても、開閉カップ２２０の上下方向及び前後方向の位置を調整することで、封水の深さを所定の設定値となるように調整できる。従って、封水の深さが一定になるように調整できる。
【００５１】
（３）また、本実施形態では、掃除口１１２は、便器本体１１０の前側に配置される。そのため、便器本体１１０の前側から、掃除口１１２を介して、開閉カップ２２０及び支持部材２３０を着脱したり、チャンバ１１１の内部を清掃できる。通常、便器本体１１０の前側の直ぐ近くには、トイレ室の壁などが配置されることはないため、便器本体１１０の前側に掃除口１１２を設けることで、便器本体１１０の前側からメンテナンス作業を容易に行うことができる。
【００５２】
（４）また、チャンバ１１１の底部の内面は、掃除口１１２から排出口１１３に向かって下る下り傾斜面１１１ａを有する。そのため、チャンバ１１１に落下した汚物及び使用後の溜水（汚水）は、下り傾斜面１１１ａにより、排出口１１３側に流される。これにより、チャンバ１１１に落下した汚物などが、チャンバ１１１の底部の内面（上面）に滞留することを低減できる。
【００５３】
［第１実施形態の第１変形形態］
次に、第１実施形態の第１変形形態について説明する。図５は、第１実施形態の第１変形形態における開閉カップユニット２１０の支持部材２３０Ａが備える位置調整機構により開閉カップ２２０の位置を調整した場合を示す図である。
第１実施形態においては、支持部材２３０を、リング状部材２３１と、一対のＬ字状部材２３２，２３２と、により構成したが、これに限定されない。第１実施形態の第１形態として、例えば、第１実施形態の一対のＬ字状部材２３２，２３２に変えて、一対の直線状部材２３３，２３３を備えて構成してもよい。
【００５４】
第１実施形態の第１変形形態においては、支持部材２３０Ａは、リング状部材２３１と、一対の直線状部材２３３，２３３と、を備えて構成される。直線状部材２３３は、直線状に延びて形成される。
【００５５】
第１実施形態の第１変形形態においては、図５に示すように、第１実施形態と同様に、開閉カップユニット２１０は、開閉カップ２２０の上下方向の位置を調整することができる。具体的には、図５の（ａ）及び（ｂ）に示すように、開閉カップユニット２１０を便器本体１１０から取り外さずに、直線状部材２３３の一端部２３３ａの位置をリング状部材２３１に沿って上下に移動させることで開閉カップ２２０の上下方向に移動させることができる。
【００５６】
例えば、図５の（ａ）の状態から、直線状部材２３３の一端部２３３ａの位置をリング状部材２３１に沿って下方に移動させることで、図５の（ｂ）に示すように、開閉カップ２２０を上方に移動させることができる。また、例えば、図５の（ａ）の状態から、直線状部材２３３の一端部２３３ａの位置をリング状部材２３１に沿って上方に移動させることで、図５の（ｃ）に示すように、開閉カップ２２０を下方に移動させることができる。
このようにして、第１実施形態と同様に、直線状部材２３３の一端部２３３ａの位置をリング状部材２３１に沿って上下に移動させることで、便鉢１２０の下端部と開閉カップ２２０の底部の上面との位置を調整することができる。
【００５７】
［第１実施形態の第２変形形態］
次に、第１実施形態の第２変形形態について説明する。図６は、第１実施形態の第２変形形態における開閉カップユニット２１０を示す模式図である。
また、第１実施形態においては、一対のＬ字状部材２３２，２３２を、リング状部材２３１に対してスライド移動させることで、開閉カップ２２０の上下方向の位置を調整するように構成したが、これに限定されない。
【００５８】
第１実施形態の第２変形形態においては、開閉カップユニット２１０において、リング状部材２３１と、一対のＬ字状部材２３２，２３２と、高さ調整ネジ部材２３４と、を備える。
Ｌ字状部材２３２においては、一端部２３２ａが、リング状部材２３１における上下方向の所定位置を中心に回動するようにリング状部材２３１に接続され、他端部２３２ｂが、開閉カップ２２０の延出部２２２に配置される開閉カップ回動軸部２２３に連結される。Ｌ字状部材２３２における一端部２３２ａと他端部２３２ｂとの間には、屈曲部２３２ｃが形成される。
【００５９】
高さ調整ネジ部材２３４は、Ｌ字状部材２３２の屈曲部２３２ｃにおいて、頭部２３４ａが係止され、ネジ部２３４ｂがチャンバ１１１側に延びて形成される。高さ調整ネジ部材２３４のチャンバ１１１へのねじ込み量を調整することで、屈曲部２３２ｃを上下方向に移動できる。これにより、Ｌ字状部材２３２の上下方向の位置を調整するように構成される。
【００６０】
このように構成されることで、第１実施形態の第２変形形態においては、高さ調整ネジ部材２３４のチャンバ１１１へのねじ込み量を調整することで、Ｌ字状部材２３２を上下方向に移動させて、便鉢１２０の下端部と開閉カップ２２０の底部の上面との位置を調整することができる。
【００６１】
［第２実施形態］
第２実施形態に係る便器装置１Ａについて説明する。
図７は、第２実施形態に係る便器装置１Ａの前後方向の縦断面図である。図８は、第２実施形態に係る便器装置１Ａの開閉カップ２２０Ａの構成を示す斜視図である。
【００６２】
本実施形態に係る便器装置１Ａは、開閉カップ２２０Ａの形状が異なる点において、第１実施形態とは主に異なる。また、第１実施形態においては延出部２２２の先端に開閉カップ回動軸部２２３が設けられるのに対して、第２実施形態では開閉カップ２２０Ａのカップ本体２２４における掃除口１１２側の端部に開閉カップ回動軸部２２３が設けられる点において、第２実施形態は、第１実施形態と異なる。
【００６３】
第２実施形態の便器装置１Ａにおいては、図７及び図８に示すように、開閉カップ２２０Ａは、第１実施形態の便器装置１と同様に、カップ構造で構成される。開閉カップ２２０Ａは、図８に示すように、カップ本体２２４と、開閉カップ回動軸部２２３と、を有する。開閉カップ回動軸部２２３は、カップ本体２２４の掃除口１１２側の端部に設けられる。カップ本体２２４は、底部２２４ａと、角筒状部２２４ｂと、を備える。
【００６４】
底部２２４ａは、方形板状に形成される。角筒状部２２４ｂは、底部２２４ａの周縁から立ち上がるように形成される。角筒状部２２４ｂは、下方側から上方側に向かうに従って開口面積が大きくなる角筒状に形成される。角筒状部２２４ｂは、切り欠き部２２４ｃを有する。切り欠き部２２４ｃは、排出口１１３とは反対側の掃除口１１２側において、上端が矩形状に切り欠かれて形成される。切り欠き部２２４ｃの下端部の高さは、水が溢れる高さとなるため、開閉カップ２２０Ａの溢れ面となる。
【００６５】
これにより、第２実施形態の開閉カップ２２０Ａは、第１実施形態の開閉カップ２２０よりも低い溢れ面を有する。そのため、第２実施形態の開閉カップ２２０Ａは、第１実施形態の開閉カップ２２０に溜まった水量よりも少ない水量が溜まった時点で、開閉カップ２２０Ａの切り欠き部２２４ｃの下端部から水が溢れる。
【００６６】
よって、第２実施形態においては、開閉カップ２２０Ａの切り欠き部２２４ｃから水が溢れるように構成することで、開閉カップ２２０Ａの下面に付着した汚物を洗い流すことができる。また、開閉カップ２２０Ａの切り欠き部２２４ｃから溢れた水により、チャンバ１１１の下り傾斜面１１１ａ（チャンバ１１１の底部の上面）を濡らして、チャンバ１１１の下り傾斜面１１１ａに汚物がこびり付くことを低減できると共に、チャンバ１１１の下り傾斜面１１１ａ（チャンバ１１１の底部の上面）に付着した汚物を洗い流すことができる。
【００６７】
更に、切り欠き部２２４ｃは、開閉カップ２２０Ａにおける排出口１１３と反対側の掃除口１１２側に形成される。そのため、開閉カップ２２０Ａよりも上流側から開閉カップ２２０Ａの下流側まで、チャンバ１１１の下り傾斜面１１１ａ（チャンバ１１１の底部の上面）を広い範囲で濡らして、チャンバ１１１の下り傾斜面１１１ａに汚物がこびり付くことを低減できると共に、汚物を洗い流すことができる。
【００６８】
［第３実施形態］
第３実施形態について説明する。
図９は、第３実施形態におけるカウンター錘２４０の位置を変更して回動モーメントを調整する場合を示す図である。
【００６９】
本実施形態においては、回動モーメントを調整する構成として、カウンター錘２４０の位置を変更可能である。本実施形態に係る開閉カップユニット２１０Ａは、開閉カップ回動軸部２２３から、掃除口１１２側の斜め下方に直線状に延びる位置調整バー２２５を備える。カウンター錘２４０は、位置調整バー２２５に沿って移動させて固定することが可能に構成される。位置調整バー２２５及びカウンター錘２４０は、カウンター錘２４０の取り付け位置を変更可能な回動モーメント調整部を構成する。
【００７０】
ここで、開閉カップ２２０を開方向に回動する力（開方向の回動モーメント）は、開閉カップ２２０の自重と、回動軸Ｊ１から開閉カップ２２０の重心までの距離とを乗じることで算出される。また、開閉カップ２２０を閉方向に回動する力（閉方向の回動モーメント）は、カウンター錘２４０の自重と、回動軸Ｊ１からカウンター錘２４０の重心までの距離を乗ずることで算出される。
【００７１】
本実施形態では、汚物の重量の違いに合わせて、開閉カップ２２０を閉方向に回動する力（閉方向の回動モーメント）を調整することができる。
例えば、図９の（ａ）〜（ｃ）に示すように、カウンター錘２４０の位置を、開閉カップ回動軸部２２３の回動軸Ｊ１からの距離で、開閉カップ回動軸部２２３に近い側から順に、例えば、（ａ）に示す第１位置、（ｂ）に示す第２位置、（ｃ）に示す第３位置に変更して設定できる。これにより、開閉カップ２２０を閉方向に回動する力（閉方向の回動モーメント）を調整することができる。例えば、図９の（ａ）に示す第１位置、図９の（ｂ）に示す第２位置、図９の（ｃ）に示す第３位置の順に、閉方向の回動モーメントを大きくすることができ、この順に、重い重量の汚物を支えることができる。従って、例えば、人種によって汚物の重量が異なる場合などには、汚物の重量の違いに合わせて、開閉カップ２２０に掛かる閉方向の回動モーメントを調整することができる。
【００７２】
なお、本実施形態においては、閉方向の回動モーメントを調整する回動モーメント調整部として、開閉カップ回動軸部２２３からの距離を変更可能に構成したが、これに限定されない。例えば、回動モーメント調整部として、カウンター錘２４０の質量を変更する構成としてもよい。また、回動モーメント調整部として、開閉カップ回動軸部２２３からの距離と、カウンター錘２４０の重量との両方を変更するように構成してもよい。
【００７３】
［第４実施形態］
第４実施形態について説明する。
図１０は、第４実施形態における流出抑制機構としての狭小部Ｓを備える構成において、汚物が開閉カップ２２０に落下した場合の作用を説明する図である。
【００７４】
本実施形態は、第１実施形態と同様に、開閉カップ２２０は、閉状態において、開閉カップ２２０に水が充填されることで、便鉢１２０の下端部内、及び開閉カップ２２０の底面部２２１ａの上面と便鉢１２０の下端部との間に、封水を形成するカップ構造で構成される。ここで、開閉カップ２２０と便鉢１２０の下端部との間に形成される封水の水量は、安定して保持される必要がある。
【００７５】
本実施形態においては、第１実施形態の構成に加えて、開閉カップ２２０の閉状態において、便鉢１２０から開閉カップ２２０に汚物が落下した場合に、便鉢１２０の下端部内から封水が流出するのを抑制する流出抑制機構を備える。
【００７６】
本実施形態においては、流出抑制機構として、開閉カップ２２０の底面部２２１ａの上面と便鉢１２０の下端部との間には、狭小部Ｓが形成される。狭小部Ｓは、開閉カップ２２０の底面部２２１ａの上面と便鉢１２０の下端部との間において、便鉢１２０の下端部における周方向の全域において、小さい隙間で形成される。
【００７７】
狭小部Ｓの総面積は、より好ましくは、封水形成部内における便鉢１２０の下端部の内側の水平方向の断面積よりも小さい。具体的には、例えば、本実施形態においては、狭小部Ｓの総面積は、開閉カップ２２０の底面部２２１ａの上面と便鉢１２０の下端部との間の隙間を、便鉢１２０の下端部の周方向に足し合わせた合計の面積である。言い換えると、狭小部Ｓの総面積は、開閉カップ２２０の底面部２２１ａの上面と便鉢１２０の下端部との間の高さに、便鉢１２０の下端部の周方向の総長さを乗じたものである。従って、狭小部Ｓの総面積を、封水形成部内における便鉢１２０の下端部の内側の水平方向の断面積よりも小さくすることで、封水形成部内における便鉢１２０の下端部内の封水が狭小部Ｓを通って流出する場合に、水の流出方向において水の流路面積が小さくなることで水の流出の流量が絞られるため、便鉢１２０から開閉カップ２２０に汚物が落下した場合に、便鉢１２０の下端部内から封水が流出することを抑制することができる。
【００７８】
狭小部Ｓは、開閉カップ２２０の閉状態において、便鉢１２０から開閉カップ２２０に汚物が落下した場合に、便鉢１２０の下端部内から、便鉢１２０の下端部と開閉カップ２２０の底面部２２１ａの上面との間を水が通過する際に、便鉢１２０の外側において開閉カップ２２０に溜まった水が周囲に飛び跳ねないような水の抵抗を生じさせるように、便鉢１２０の下端部と開閉カップ２２０の底面部２２１ａの上面との間の隙間が小さく形成される。
【００７９】
流出抑制機構としての狭小部Ｓを備えることで、図１０の（ａ）に示すように、便鉢１２０の下端部内において汚物が勢いよく水に落下した場合であっても、図１０の（ｂ）に示すように、狭小部Ｓの抵抗により、便鉢１２０の下端部内から封水が流出することを抑制して、狭小部Ｓの抵抗により水の流れがせき止められる。これにより、開閉カップ２２０の外部の周囲に水が飛び跳ねずに、便鉢１２０の下端部内において、水の水位が上昇する。その後、便鉢１２０の下端部内の封水が、少しずつ便鉢１２０の下端部から開閉カップ２２０内に移動して、汚物が落下する前の当初の封水の水位に近づいていく。
【００８０】
その後、図１０の（ｃ）に示すように、便鉢１２０の下端部内において、溜まり水の水位は、ゆっくりと下降する。そして、水が便鉢１２０の下端部と開閉カップ２２０との間の隙間の狭小部Ｓを通過して、汚物の体積と同じ量の水が、開閉カップ２２０の上端部の外縁から、ゆっくりと排出される。これにより、図１０の（ｄ）に示すように、封水の水位が開閉カップ２２０の上端部を、溢れ面とすることで、封水の水位を設定水位に保持することができる。便鉢１２０の下端部内の封水の水位は、少しずつ便鉢１２０の下端部から開閉カップ２２０内に移動することで、汚物が落下する前の当初の封水の水位となる。
【００８１】
以上のように構成される流出抑制機構としての狭小部Ｓを備えることにより、便鉢１２０から開閉カップ２２０に汚物が落下した場合に、便鉢１２０の下端部内から封水が流出することを抑制して、封水の設定水量を一定に保持することができる。
【００８２】
なお、本実施形態では、便鉢１２０の下端部内から封水が流出するのを抑制する流出抑制機構として、開閉カップ２２０の底面部２２１ａの上面と便鉢１２０の下端部との間における周方向の全域において、狭小部Ｓを形成したが、これに限定されない。流出抑制機構としては、便鉢１２０の下端部内から封水が流出するのを抑制する構成であればよく、例えば、便鉢１２０の下端の一部を切り欠いた切り欠き部（図示せず）を有し、切り欠き部以外の部分において開閉カップ２２０の底面部２２１ａの上面に便鉢１２０の下端部を当接させて構成してもよい。
【００８３】
［第５実施形態］
第５実施形態について説明する。
図１１は、第５実施形態における開閉カップ２２０Ｂを示す図であって、透明かつ目盛りＭ付きの開閉カップ２２０Ｂの構成を示す図である。
【００８４】
本実施形態においては、開閉カップ２２０Ｂの少なくとも一部が透明に形成されると共に、開閉カップ２２０Ｂに目盛りＭが付されている点において、第１実施形態に係る便器装置１と異なる。
【００８５】
本実施形態においては、開閉カップ２２０Ｂの側面が透明に形成されると共に、開閉カップ２２０Ｂには、開閉カップ２２０Ｂに貯留された水の高さを示す目盛りＭが付されて構成される。これにより、便器装置の組み立て時において、便鉢１２０の下端部と開閉カップ２２０Ｂとの位置関係が把握しやすく、便鉢１２０の下端部と開閉カップ２２０Ｂの底面部２２１ａの上面との位置合わせを容易に行うことができる。
【００８６】
なお、本実施形態では、開閉カップ２２０Ｂの側面を透明に形成したが、これに限定されず、例えば、開閉カップの全部を透明に形成してもよい。開閉カップの全部を透明に形成した場合には、同じ材料で形成できるため、開閉カップの製造コストを低減できる。
【００８７】
［第６実施形態］
第６実施形態に係る便器装置１Ｂについて説明する。
図１２は、第６実施形態に係る便器装置１Ｂにおいて、掃除口キャップ１１２ａにホース接続口１１２ｄを設けた構成を示す図である。
本実施形態に係る便器装置１Ｂは、掃除口キャップ１１２ａの構成について、第１実施形態に係る便器装置と異なる。
【００８８】
本実施形態の掃除口キャップ１１２ａは、ホース接続口１１２ｄを備える。ホース接続口１１２ｄには、チャンバ１１１の内部に水を導入可能なホースＨの先端が接続される。これにより、ホースＨの内部を流通する水を、ホース接続口１１２ｄから、チャンバ１１１の内部に導入できる。従って、掃除口キャップ１１２ａを掃除口１１２から外さない状態で、チャンバ１１１の底部の上面の汚物を水で洗い流すことができる。
【００８９】
［第７実施形態］
第７実施形態について説明する。
図１３は、第７実施形態において、押し棒２５０を用いて開閉カップ２２０を強制的に開状態に移動させる構成を示す図であって、（ａ）は開閉カップ２２０を押す前の状態を示す図であり、（ｂ）は開閉カップ２２０を押した後の状態を示す図である。
【００９０】
本実施形態においては、開閉カップ２２０を強制的に開状態とすることができる押し棒２５０を備える点と、掃除口キャップ１１２ａに開口１１２ｅが形成されている点とにおいて、第１実施形態の便器装置１と異なる。
【００９１】
本実施形態の便器装置は、図１３の（ａ）及び（ｂ）に示すように、カウンター錘２４０を掃除口１１２の外部から押すことができる長さに延びて形成される押し棒２５０を備える。また、掃除口キャップ１１２ａには、押し棒２５０を貫通して配置することが可能な開口１１２ｅが形成されている。これにより、開閉カップ２２０に付着した汚物が引っ掛かって開閉カップ２２０が閉状態から開状態にならない場合に、押し棒２５０を、開口１１２ｅに貫通して配置した状態で、押し棒２５０により、カウンター錘２４０を掃除口１１２の外部から押すことで、開閉カップ２２０を強制的に開状態とすることができる。
【００９２】
具体的には、図１３の（ａ）に示すように、掃除口キャップ１１２ａの開口１１２ｅに押し棒２５０を貫通させて、押し棒２５０の先端をカウンター錘２４０に当接させる。そして、押し棒２５０により、開閉カップ２２０が回動軸Ｊ１を中心に回動するように、カウンター錘２４０を押す。これにより、図１３の（ｂ）に示すように、開閉カップ２２０を強制的に開状態とすることができる。
【００９３】
［第８実施形態］
第８実施形態について説明する。
図１４は、第８実施形態において、引き棒２６０を用いて開閉カップ２２０を強制的に開状態に移動させる構成を示す図であって、（ａ）は開閉カップ２２０を引く前の状態を示す図であり、（ｂ）は開閉カップ２２０を引いた後の状態を示す図である。
【００９４】
本実施形態においては、開閉カップ２２０を強制的に開状態とすることができる引き棒２６０を備える点と、掃除口キャップ１１２ａに開口１１２ｅが形成されている点とにおいて、第１実施形態の便器装置１と異なる。
【００９５】
本実施形態の便器装置は、図１４の（ａ）及び（ｂ）に示すように、開閉カップ２２０における排出口１１３側の上端部に、引き棒２６０の先端が引っ掛けられて固定されている。引き棒２６０は、カウンター錘２４０を掃除口１１２の外部から引くことができる長さに延びて形成される。また、掃除口キャップ１１２ａには、引き棒２６０を貫通して配置することが可能な開口１１２ｅが形成されている。開閉カップ２２０に付着した汚物が引っ掛かって開閉カップ２２０が閉状態から開状態にならない場合に、引き棒２６０を、開口１１２ｅに貫通して配置した状態で、引き棒２６０により、カウンター錘２４０を掃除口１１２の外部から引くことで、開閉カップ２２０を強制的に開状態とすることができる。
【００９６】
具体的には、図１４の（ａ）に示すように、引き棒２６０の先端を開閉カップ２２０の排出口１１３側の上端部に引っ掛けて固定した状態で、掃除口キャップ１１２ａの開口１１２ｅに引き棒２６０を貫通させる。そして、引き棒２６０により、開閉カップ２２０が回動軸Ｊ１を中心に回動するように、開閉カップ２２０の排出口１１３側の上端部を引く。これにより、図１４の（ｂ）に示すように、開閉カップ２２０を強制的に開状態とすることができる。
【００９７】
［第９実施形態］
第９実施形態について説明する。
図１５は、第９実施形態における開閉カップ２２０におけるストッパ構造を模式的に示す縦断面図であって、（ａ）は、開閉カップ２２０における排出口１１３側の上方側への移動を規制する第１ストッパ２７０を示す図であり、（ｂ）は、開閉カップ２２０に接続されるカウンター錘２４０の下方側への移動を規制する第２ストッパ２８０を示す図である。
【００９８】
本実施形態においては、開閉カップ２２０が開状態から閉状態に戻る際に、開閉カップ２２０が停止するストッパ構造を備える。
具体的には、例えば、図１５の（ａ）に示すように、便器装置は、開閉カップ２２０が開状態から閉状態に移動した場合における開閉カップ２２０の閉位置において、開閉カップ２２０の排出口１１３側の上端部が当接する第１ストッパ２７０を備える。第１ストッパ２７０は、開閉カップユニット２１０の支持部材２３０やチャンバ１１１に固定される。
【００９９】
これにより、開閉カップ２２０が開状態から閉状態に戻る際に、第１ストッパ２７０に開閉カップ２２０の排出口１１３側の上端部が当接して、開閉カップ２２０を停止させることができる。従って、開閉カップ２２０の閉状態において、開閉カップ２２０を閉状態の定位置に位置させることができる。
【０１００】
第１ストッパ２７０が開閉カップユニット２１０の構成部材に固定される場合には、第１ストッパ２７０と開閉カップユニット２１０とを一体的に、掃除口１１２を介して、便器本体１１０に取り付けたり、便器本体１１０から取り外すことができる。
【０１０１】
また、例えば、図１５の（ｂ）に示すように、便器装置１は、開閉カップ２２０が開状態から閉状態に移動した場合における開閉カップ２２０の閉位置において、カウンター錘２４０の下端部が当接する第２ストッパ２８０を備える。第２ストッパ２８０は、開閉カップユニット２１０の支持部材２３０やチャンバ１１１に固定される。
【０１０２】
これにより、開閉カップ２２０が開状態から閉状態に戻る際に、第２ストッパ２８０にカウンター錘２４０の下端部が当接して、開閉カップ２２０を停止させることができる。従って、開閉カップ２２０の閉状態において、開閉カップ２２０を閉状態の定位置に位置させることができる。
【０１０３】
第２ストッパ２８０が開閉カップユニット２１０の構成部材に固定される場合には、第２ストッパ２８０と開閉カップユニット２１０とを一体的に、掃除口１１２を介して、便器本体１１０に取り付けたり、便器本体１１０から取り外すことができる。
【０１０４】
［第１０実施形態］
第１０実施形態に係る便器装置１Ｃについて説明する。
図１６は、第１０実施形態に係る和式の便器を備える便器装置１Ｃの前後方向の縦断面図である。
【０１０５】
本実施形態に係る便器装置１Ｃにおける便器１００Ａは、使用者が腰を下ろして跨って使用する、いわゆる和式便器である。
第１０実施形態の便器装置１Ｃは、便器１００Ａがいわゆる和式便器である点以外の構成は、第１実施形態の便器装置１と同様の構成を有する。
本実施形態によれば、第１実施形態と同様に動作し、同様の効果が奏される。
【０１０６】
なお、本発明は上記実施形態に限定されるものではなく、本発明の目的を達成できる範囲内での変形、改良等は本発明に含まれる。
例えば、上記実施形態では、掃除口１１２を、便器本体１１０の前側に配置したが、これに限定されない。例えば、掃除口１１２を、便器本体１１０の後側に配置してもよいし、便器本体１１０の前後方向の中央側に配置してもよい。
【０１０７】
また、上記実施形態では、開閉部材を、水を貯留可能なカップ構造の開閉カップで構成したが、これに限定されない。例えば、開閉部材を、水を貯留しないフラッパ弁で構成してもよい。開閉部材をフラッパ弁で構成した場合には、封水を形成せずに、便鉢の下部開口部は、フラッパ弁により直接開閉される。
【０１０８】
また、上記第１実施形態においては、開閉カップのカップ本体の形状を、底部が円形状で円筒状に形成した。また、上記第２実施形態においては、開閉カップのカップ本体の形状を、底部が方形状で角筒に形成した。しかし、開閉カップのカップ本体の形状は、これに限定されない。例えば、底部が多角形で多角筒に形成してもよいし、底部が楕円や半円などで筒状に形成してもよい。また、上記第１実施形態において、第２実施形態において説明した、底部が方形状で角筒のカップ本体や、他の形状のカップ本体を適用してもよいし、上記第２実施形態において、第１実施形態において説明した、底部が円形状で円筒状のカップ本体や、他の形状のカップ本体を適用してもよい。
【０１０９】
また、上記第４実施形態においては、流出抑制機構を、狭小部Ｓにより構成したが、これに限定されない。例えば、流出抑制機構を、便鉢又は開閉カップに孔や隙間を設けることで構成してもよい。
【０１１０】
また、上記実施形態では、洗浄タンク３１０を設けたが、これに限定されない。例えば、便器装置１に水道管が直接接続されるように構成してもよい。
【０１１１】
また、上記実施形態では、リング状部材２３１の突起２３１ａを掃除口キャップ１１２ａに係止させることで、リング状部材２３１の周方向及びチャンバ１１１の前後方向に移動しないように位置決めするように構成したが、これに限定されない。例えば、リング状部材２３１の周方向に移動しないように位置決めする構成としては、例えば、リング状部材に代えて多角形形状の部材により位置決めする構成としてもよいし、リング状部材の一部を切り欠いた切り欠き部により位置決めする構成としてもよい。
【０１１２】
また、上記実施形態では、開閉部材２２０及び支持部材２３０の両方を、便器本体１１０に対して着脱可能に構成したが、これに限定されない。開閉部材２２０のみを、便器本体１１０に対して着脱可能に構成してもよい。
【０１１３】
また、上記第３実施形態では、位置調整機構について、開閉カップ２２０の上下方向及び前後方向の両方の位置を調整するように構成したが、これに限定されず、開閉カップ２２０の上下方向又は前後方向のいずれか一方の位置を調整するように構成してもよい。
【符号の説明】
【０１１４】
１，１Ａ，１Ｂ，１Ｃ…便器装置
１００，１００Ａ…便器
１１０…便器本体
１１１…チャンバ
１１１ａ…下り傾斜面
１１２…掃除口
１１３…排出口
１２０…便鉢
１２２…上部開口部
１２３…下部開口部
２２０，２２０Ａ，２２０Ｂ…開閉カップ（開閉部材）
２２４ｃ…切り欠き部
２２５…位置調整バー（回動モーメント調整部）
２３０…支持部材
２４０…カウンター錘（錘部）
Ｓ…狭小部（流出抑制機構）
【図１】
2018123619.tif 000003
【図２】
2018123619.tif 000004
【図３】
2018123619.tif 000005
【図４】
2018123619.tif 000006
【図５】
2018123619.tif 000007
【図６】
2018123619.tif 000008
【図７】
2018123619.tif 000009
【図８】
2018123619.tif 000010
【図９】
2018123619.tif 000011
【図１０】
2018123619.tif 000012
【図１１】
2018123619.tif 000013
【図１２】
2018123619.tif 000014
【図１３】
2018123619.tif 000015
【図１４】
2018123619.tif 000016
【図１５】
2018123619.tif 000017
【図１６】
2018123619.tif 000018